(57)【要約】【課題】  農作物の根・茎の切り損じが生じ難く、効率的に作業ができるようにする。【解決手段】  本発明の根・茎切り器具１は、棒状のハンドル部２の先端に刃物３を設けてなっており、該ハンドル部２の長さ方向へ押し込むことにより刃物３で農作物の根・茎Ｃａを切断するように構成されている。刃物３は、ハンドル部２の長さ方向に対して傾斜させて設けられた先端縁に沿って切刃部５が形成されている。刃物３の尖端側の側縁部には、ハンドル部２の略長さ方向に延びるガイド部材６が切刃部５の先方へ突設されている。【選択図】      図２
2016202078.tif 000002
【特許請求の範囲】
【請求項１】
棒状のハンドル部の先端に刃物を設けてなっており、該ハンドル部の略長さ方向へ押し込むことにより前記刃物で農作物の根・茎を切断するように構成されている根・茎切り器具であって、
前記刃物は、前記ハンドル部の長さ方向に対して傾斜させて設けられた先端縁に沿って切刃部が形成されており、
該刃物の尖端側の側縁部には、前記ハンドル部の略長さ方向に延びるガイド部材が前記切刃部の先方へ突設されている
根・茎切り器具。
【請求項２】
前記ガイド部材は、前記刃物の本体の一方の面上に配設されている
請求項１記載の根・茎切り器具。
【請求項３】
前記切刃部は、円弧状の凹部が連続して設けられることにより波形に形成されている
請求項１又は２記載の根・茎切り器具。
【請求項４】
第４の発明の根・茎切り器具としては、前記第３の発明において、
前記切刃部は、前記尖端側における前記波形が、中央部の前記波形に対して相対的に短いピッチで形成されている
請求項３記載の根・茎切り器具。
【請求項５】
前記切刃部は、前記刃物の反尖端側における前記波形が、中央部の前記波形に対して相対的に短いピッチで形成されている
請求項３又は４記載の根・茎切り器具。
【請求項６】
前記凹部の奥側には刃が設けられていない
請求項３〜５のいずれか一項に記載の根・茎切り器具。
【請求項７】
前記刃物の反尖端側の側縁部に、前記ハンドル部の略長さ方向に延びるガイド部材が前記切刃部の先方へ突設されている
請求項１〜６のいずれか一項に記載の根・茎切り器具。
【発明の詳細な説明】
【技術分野】
【０００１】
本発明は、花や野菜等の農作物の根や茎を切断するための根・茎切り器具に関するものである。
【背景技術】
【０００２】
背景技術としては、特許文献１に記載された野菜の刈取器を例示する。この刈取器は、フレーム部１０２、ナイフ部１０３、車輪部１０４、中央分草杆１０５、分草枠部１０６から構成されている。フレーム部１０２は板状フレーム１０２Ａと傾斜フレーム１０２Ｂと把手１０２Ｃから構成されている。ナイフ部１０３は、フレーム部１０２の板状フレーム１０２Ａにおける後方部下面に支脚１０３Ａを介して、正面側から見て当該板状フレーム１０２Ａの長手方向と直交方向をもって左方に延出する状態で取付けられ、かつ、当該ナイフ部１０３の羽部１０３Ｂは先端に行くほど所定の角度１０３Ｂ１で後方に位置するよう構成されている。車輪部１０４は傾斜フレーム１０２Ｂの下面に取付けられている。中央分草杆１０５は板状フレーム１０２Ａの先端と傾斜フレーム１０２Ｂの中心位置近傍に連結されている。分草枠部１０６は傾斜フレーム１０２Ｂの側面に取付けられた左の分草枠単体１０６Ａと右の分草枠単体１０６Ｂから構成されている。
【先行技術文献】
【特許文献】
【０００３】
【特許文献１】特許第２８８３９７７号公報
【発明の概要】
【発明が解決しようとする課題】
【０００４】
ところが、ナイフ部１０３は、根元側がフレーム１０２Ａの長手方向と直交方向をもって左方に延出しているので、そこに野菜や雑草の根や茎が当たると、該根や茎が切れ難いという課題がある。また、ナイフ部１０３が側方へ張出しているため、抵抗により直進性が劣るという課題がある。
【０００５】
また、車輪部１０４の走行スペースが必要であるとともに、ナイフ部１０３がフレーム１０２Ａの側方に大きく張り出しているため、収穫対象の野菜の条間が狭い場合に使用が困難又は不可能となることがあるという課題がある。
【０００６】
さらに、圃場を走行しながら連続的に野菜を収穫できるように、車輪部１０４、中央分草杆１０５及び分草枠部１０６を備えているので、その分重量が重く、大型になっている。そのため、圃場に植えられた野菜の中から収穫時期になったものを選んで適宜収穫するときであって、野菜同士の間隔が狭い場合は、収穫しようとする野菜の近くまで重い刈取器を浮かせて移動させる必要があるため作業負担が大きく、しかも大型であるため狭いところでは作業がし難いという課題がある。
【課題を解決するための手段】
【０００７】
前記課題を解決するために、第１の発明の根・茎切り器具は、
棒状のハンドル部の先端に刃物を設けてなっており、該ハンドル部の略長さ方向へ押し込むことにより前記刃物で農作物の根・茎を切断するように構成されている根・茎切り器具であって、
前記刃物は、前記ハンドル部の長さ方向に対して傾斜させて設けられた先端縁に沿って切刃部が形成されており、
該刃物の尖端側の側縁部には、前記ハンドル部の略長さ方向に延びるガイド部材が前記切刃部の先方へ突設されている。
【０００８】
前記先端縁の傾斜角度としては、前記ハンドル部の長さ方向に対して９０°未満であれば特に限定されないが、切断抵抗を軽減するために、６０°以下であることが好ましく、４５°以下であることがさらに好ましい。
【０００９】
この構成によれば、前記ガイド部材により切断対象の農作物の根・茎を探ることができ、該根・茎に接近して前記刃物を押し込むことができるので、切り損じが生じ難く、効率的に作業ができる。また、前記ガイド部材を土中に差し込むようにして前記切断時の押し込みを行うと、土中に進入した前記ガイド部材により、前記刃物の横ずれが規制されるため、切り損じを防止することができる。さらに、前記刃物の切刃部は、前記ハンドル部の略長さ方向、即ち該刃物の押し込み方向に対して傾斜させて設けられているので、切断抵抗を軽減することができる。
【００１０】
第２の発明の根・茎切り器具としては、前記第１の発明において、
前記ガイド部材は、前記刃物の本体の一方の面上に配設されている態様を例示する。
【００１１】
この構成によれば、前記刃物の尖端の上に前記ガイド部材が重なって配設されているので、該尖端は切断に用いられず、そのため該尖端の摩耗が該刃物の切れ味に影響しない。
【００１２】
第３の発明の根・茎切り器具としては、前記第１又は２の発明において、
前記切刃部は、円弧状の凹部が連続して設けられることにより波形に形成されている態様を例示する。
【００１３】
この構成によれば、前記切刃部が鋸刃のように前記波形に形成されているので、根・茎が固い場合でも、容易に切断することができる。
【００１４】
第４の発明の根・茎切り器具としては、前記第３の発明において、
前記切刃部は、前記尖端側における前記波形が、中央部の前記波形に対して相対的に短いピッチで形成されている態様を例示する。
【００１５】
この構成によれば、根・茎が太くて固い場合の切り始めに、前記切刃部が引っ掛かることが軽減され、切り始めの切断面を綺麗に形成することができる。
【００１６】
第５の発明の根・茎切り器具としては、前記第３又は４の発明において、
前記切刃部は、前記刃物の反尖端側における前記波形が、中央部の前記波形に対して相対的に短いピッチで形成されている態様を例示する。
【００１７】
この構成によれば、根・茎が太くて固い場合の切り終わりに、前記切刃部が引っ掛かることが軽減され、切り終わりの切断面を綺麗に形成することができる。
【００１８】
第６の発明の根・茎切り器具としては、前記第３〜５のいずれかの発明において、
前記凹部の奥側には刃が設けられていない態様を例示する。
【００１９】
この構成によれば、前記凹部の奥側には刃が設けられていないので、前記波形のピッチよりも直径の小さい物が前記奥側に引っ掛かったり、詰まったりすることによる切れ味の低下を防止することができる。
【００２０】
第７の発明の根・茎切り器具としては、前記第１〜６のいずれかの発明において、
前記刃物の反尖端側の側縁部に、前記ハンドル部の略長さ方向に延びるガイド部材が前記切刃部の先方へ突設されている態様を例示する。
【００２１】
この構成によれば、切断時に、根・茎が前記刃物の反先端側から逃げることを防止することができる。
【発明の効果】
【００２２】
本発明に係る根・茎切り器具によれば、農作物の根・茎の切り損じが生じ難く、効率的に作業ができるという優れた効果を奏する。
【図面の簡単な説明】
【００２３】
【図１】本発明を具体化した第一実施形態に係る根・茎切り器具の側面図である。
【図２】同根・茎切り器具のＩＩ矢視図である。
【図３】同根・茎切り器具の刃物の拡大図であり、（ａ）は図１のＩＩＩ矢視図、（ｂ）は（ａ）のｂ−ｂ線断面図である。
【図４】本発明を具体化した第二実施形態に係る根・茎切り器具の刃物の拡大図であり、（ａ）は図１のＩＩＩ矢視図に相当する図、（ｂ）は（ａ）のｂ−ｂ線断面図である。
【図５】同刃物の尖端側の斜視図である。
【図６】本発明を具体化した第三実施形態に係る根・茎切り器具の刃物の拡大図であり、（ａ）は図１のＩＩＩ矢視図に相当する図、（ｂ）は（ａ）のｂ−ｂ線断面図、（ｃ）は（ａ）のｃ−ｃ線断面図である。
【図７】同刃物の切断作用を段階的に説明する図である。
【図８】本発明を具体化した第四実施形態に係る根・茎切り器具の刃物の拡大図であって、図１のＩＩＩ矢視図に相当する図である。
【図９】背景技術としての野菜の刈取器の平面図である。
【発明を実施するための形態】
【００２４】
図１〜図３は本発明を具体化した第一実施形態の根・茎切り器具を示しており、各図において、矢印Ｆは該根・茎切り器具の押し込み方向を指し示している。図１及び図２に示すように、本例の根・茎切り器具１は、棒状のハンドル部２の先端に刃物３を設けてなっており、該ハンドル部２の略長さ方向へ押し込むことにより刃物３で農作物の根・茎Ｃａを切断するように構成されている。
【００２５】
ハンドル部２は、図１及び図２に示すように、本例では立位作業ができるように長尺に形成されている。このため、作業者が、膝を地面についたり、前屈み姿勢になったりせずに、切断作業ができるため、身体への負担を軽減することができる。また、ハンドル部２の長さ方向の途中部及び基端部には、略下方に延びるコントロールグリップ２ａ及び略左右方向に延びる押込グリップ２ｂがそれぞれ設けられている。そして、作業者は、コントロールグリップ２ａ及び押込グリップ２ｂをそれぞれ手で持つことにより、刃物３の向きを調節するとともに、刃物３を農作物の根・茎Ｃａに対して押し込むことができるようになっている。
【００２６】
刃物３は、図３に示すように、ハンドル部２の先端部に取り付けられている。刃物３の本体の上面３ａ，下面３ｂは、押込グリップ２ｂの延設方向と平行な状態、かつ、ハンドル部２の長さ方向に対して反コントロールグリップ側に傾斜（本例では１８°傾斜）した状態になっている。また、刃物３は、ハンドル部２の長さ方向に対して傾斜させて設けられた先端縁に沿って切刃部５が形成されている。該先端縁の傾斜角度としては、特に限定されないが、本例ではハンドル部２の長さ方向に対して３０°に設定されている。刃物３の押し込み方向Ｆから見た幅としては、切断対象として想定する農作物における根・茎Ｃａの直径の最大値に対し余裕を加えた幅に形成されている。本例の本例の根・茎切り器具１は、立位作業用なので、この余裕を大きめに設定することが好ましい。刃物３の尖端側の側縁部には、ハンドル部２の略長さ方向に延びるガイド部材６が切刃部５の先方へ突設されている。ガイド部材６は円柱状に形成されている。ガイド部材６の先端部の外周縁は面取りされている。本例のガイド部材６は、刃物３の本体の一方の面（本例では下面３ｂ）の上に配設される（即ち、平面視で、刃物３の尖端３ｃの上にガイド部材６が重なって配設される）とともに、刃物３との間に土や根、茎、葉、虫等が入り込まないように、刃物３に溶接等の固定手段により固定されている。
【００２７】
次に、本例の根・茎切り器具１の使用方法を、ほうれん草の根Ｃａを切断する事例により説明する。まず、作業者は、ハンドル部２のコントロールグリップ２ａ及び押込グリップ２ｂをそれぞれ手で持つことにより、刃物３の位置及び向きを任意に操作可能な状態にする。次いで、ハンドル部２を操作することにより、切断対象のほうれん草の根Ｃａに刃物３を向ける。このとき、ガイド部材６により刃の向きの狙いを定めることができる。また、ほうれん草の根Ｃａの位置が分かりにくいときは、ガイド部材６をほうれん草の茎に軽く当てたり、ガイド部材６を少し土中に進入させたりすることにより位置を探ることができる。ガイド部材６には刃が設けられていないので、ガイド部材６を当ててもほうれん草が傷むことはない。次いで、刃物３を根Ｃａに向けて押し込むと、まず、ガイド部材６が土中に進入し、次いで、刃物３が土中に進入して行く。このとき、先に土中に進入したガイド部材６により、刃物３の押込方向がガイドされ、それにより、刃物３の横ずれが規制される。そして、刃物３により根Ｃａが切断される。
【００２８】
以上のように構成された本例の根・茎切り器具１によれば、ガイド部材６により切断対象の農作物の根・茎Ｃａを探ることができ、該根・茎Ｃａに接近して刃物３を押し込むことができるので、切り損じが生じ難く、効率的に作業ができる。また、ガイド部材６を土中に差し込むようにして前記切断時の押し込みを行うと、土中に進入したガイド部材６により、刃物３の横ずれが規制されるため、切り損じを防止することができる。さらに、刃物３の切刃部５は、ハンドル部２の略長さ方向、即ち該刃物３の押し込み方向に対して傾斜させて設けられているので、切断抵抗を軽減することができる。
【００２９】
また、刃物３の尖端３ｃの上にガイド部材６が重なって配設されているので、該尖端３ｃは切断に用いられず、そのため該尖端３ｃの摩耗が該刃物３の切れ味に影響しない。
【００３０】
次に、図４及び図５は本発明を具体化した第二実施形態を示している。この根・茎切り器具１１は、以下に示す点において、主に第一実施形態と相違している。従って、同実施形態と共通する部分については、同一符号を付することにより重複説明を省く。
【００３１】
本例の切刃部５は、円弧状の凹部１２が連続して設けられることにより波形に形成されている。この構成によれば、切刃部５が鋸刃のように前記波形に形成されているので、根・茎Ｃａが固い場合でも、容易に切断することができる。
【００３２】
また、本例の切刃部５における凹部１２の奥側１２ａには、図４（ｂ）及び図５に示すように、刃が設けられていない。この構成によれば、前記波形のピッチよりも直径の小さい物が奥側１２ａに引っ掛かったり、詰まったりすることによる切れ味の低下を防止することができる。
【００３３】
本例の根・茎切り器具１１によれば、第一実施形態と同様の効果に加え、前記本例特有の効果を得ることができる。
【００３４】
次に、図６及び図７は本発明を具体化した第三実施形態を示している。この根・茎切り器具２１は、以下に示す点において、主に第二実施形態と相違している。従って、同実施形態と共通する部分については、同一符号を付することにより重複説明を省く。
【００３５】
本例の根・茎切り器具２１は、キャベツや白菜等の根・茎Ｃａが太いものの切断が容易になるように、押し込み方向Ｆから見た、刃物３における波形に形成されている部位全体の幅Ｗは、切断対象として想定する根・茎Ｃａの太い農作物における根・茎Ｃａの直径の最大値に対し若干の余裕を加えた幅に形成されている。
【００３６】
本例の切刃部５は、前記尖端側における前記波形が、中央部の前記波形に対して相対的に凹部１２が浅く且つ短いピッチで形成されている。この構成によれば、根・茎Ｃａが固い場合の切り始め（図７（ａ）参照）に、切刃部５が引っ掛かることが軽減され、切り始めの切断面を綺麗に形成することができる。本例では、押し込み方向Ｆから見た、この短いピッチの部位の幅Ｗ１は、切断対象として想定する根・茎Ｃａの細い農作物における根・茎Ｃａの直径の最大値に対し若干の余裕を加えた幅に形成されている。このため、根・茎Ｃａの細い農作物の切断面全体を綺麗に形成することができる。
【００３７】
また、本例の切刃部５は、中央部の前記波形が前記尖端側に対して相対的に凹部１２が深く且つ長いピッチで形成されているため、前記尖端側における前記波形の部位で切り込んだ後（図７（ｂ）参照）は、該中央部の前記波形の部位で高速に切り進めることができる。
【００３８】
さらに、本例の切刃部５は、前記反尖端側における前記波形が、中央部の前記波形に対して相対的に凹部１２が浅く且つ短いピッチで形成されている。本例では、この波形の凹部１２は、尖端側における波形のものと同一に形成されているが、異ならせるように形成してもよい。押し込み方向Ｆから見た、この短いピッチの部位は幅Ｗ２になっており、Ｗ−Ｗ２が、切断対象として想定する根・茎Ｃａの太い農作物における根・茎Ｃａの直径の最小値に対し若干の余裕を差し引いた幅となるように形成されている。この構成によれば、根・茎Ｃａが太くて固い場合の切り終わり（図７（ｃ）参照）に、切刃部５が引っ掛かることが軽減され、切り終わりの切断面を綺麗に形成することができる。
【００３９】
本例の根・茎切り器具２１によれば、第二実施形態と同様の効果に加え、前記本例特有の効果を得ることができる。
【００４０】
次に、図８は本発明を具体化した第四実施形態を示している。この根・茎切り器具３１は、以下に示す点において、主に第二実施形態と相違している。従って、同実施形態と共通する部分については、同一符号を付することにより重複説明を省く。
【００４１】
本例の刃物３の反尖端側の側縁部には、ハンドル部２の略長さ方向に延びるガイド部材７が切刃部５の先方へ突設されている。この構成によれば、切断時に、根・茎Ｃａが刃物３の反先端側から逃げることを防止することができる。
【００４２】
本例の根・茎切り器具３１によれば、第一実施形態と同様の効果に加え、前記本例特有の効果を得ることができる。
【００４３】
なお、本発明は前記実施形態に限定されるものではなく、例えば以下のように、発明の趣旨から逸脱しない範囲で適宜変更して具体化することもできる。
（１）ガイド部材６の先端部を、先端側になるほど細くなるようにテーパー状に形成すること。
（２）作業者が膝を地面について作業できるように、ハンドル部２を短く形成すること。
【符号の説明】
【００４４】
１    根・茎切り器具
２    ハンドル部
２ａ  コントロールグリップ
２ｂ  押込グリップ
３    刃物
３ａ  上面
３ｂ  下面
３ｃ  尖端
５    切刃部
６    ガイド部材
７    ガイド部材
１１    根・茎切り器具
１２    凹部
１２ａ  奥側
２１    根・茎切り器具
３１    根・茎切り器具
Ｃ    農作物
Ｃａ  根・茎
Ｆ    根・茎切り器具の押し込み方向
Ｗ    刃物における波形に形成されている部位全体の幅
Ｗ１  刃物の尖端側における波形が短いピッチで形成されている部位の幅
Ｗ２  刃物の反尖端側における波形が短いピッチで形成されている部位の幅
【図１】
2016202078.tif 000003
【図２】
2016202078.tif 000004
【図３】
2016202078.tif 000005
【図４】
2016202078.tif 000006
【図５】
2016202078.tif 000007
【図６】
2016202078.tif 000008
【図７】
2016202078.tif 000009
【図８】
2016202078.tif 000010
【図９】
2016202078.tif 000011